【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
レギュレートされた出力電流を有するバックコンバータであって、
前記コンバータへの入力電流を測定するための電流測定デバイスと、
前記電流測定デバイスに結合されるスイッチと、
前記電流測定デバイスから出力電圧を受け取るように結合されるパルス幅変調（ＰＷＭ）回路と、及
前記コンバータのデューティサイクルに関連する信号（Ｄ）と、整流器又は同期スイッチのデューティサイクルと前記コンバータからの出力電流の所定の値を表す電圧とに関連する信号（１−Ｄ）を受け取るように前記パルス幅変調（ＰＷＭ）回路の出力に結合されるアナログ乗算器と、
を含む、バックコンバータ。
【請求項２】
レギュレートされた出力電流を有するバックコンバータであって、
前記コンバータへの入力電流を測定するための電流測定デバイスと、
前記電流測定デバイスに結合されるスイッチと、
前記電流測定デバイスから出力電圧を受け取るように結合されるパルス幅変調（ＰＷＭ）回路と、
前記コンバータのデューティサイクルと前記コンバータからの出力電流の所定の値を表す電圧とに関連する信号（Ｄ）を受け取るように前記パルス幅変調（ＰＷＭ）回路の出力に結合されるアナログ乗算器と、
を含み、
前記アナログ乗算器が、
出力電流の前記所定の値を表す前記電圧とノードとの間に結合される第１のスイッチと、
前記ノードと基準電圧との間に結合される第２のスイッチと、
前記ノードとエラー増幅器への入力との間に結合されるローパスフィルタと、
を含み、
前記第１のスイッチが（Ｄ）を表す信号により動作され、前記第２のスイッチが（１−Ｄ）を表す信号により動作される、バックコンバータ。
【請求項３】
請求項２に記載のバックコンバータであって、
前記パルス幅変調（ＰＷＭ）回路がエラー増幅器を含み、前記エラー増幅器が、前記エラー増幅器のフィードバックループ内のレジスタとキャパシタとにより前記電流測定デバイスに結合され、前記レジスタとキャパシタとが、前記コンバータへの平均入力電流に関連する信号を生成するために前記測定デバイスからの前記出力電圧を平均化する、バックコンバータ。
【請求項４】
請求項３に記載のバックコンバータであって、
前記電流測定デバイスが抵抗性シャントを含む、バックコンバータ。
【請求項５】
請求項４に記載のバックコンバータであって、
前記コンバータの負荷がＬＥＤである、バックコンバータ。
【請求項６】
レギュレートされた平均出力電流を有するブーストコンバータであって、
前記コンバータからの入力電流を受け取るように結合されるスイッチと、
前記コンバータへの前記入力電流を測定し、前記入力電流を表す電圧を生成するための電流測定デバイスであって、前記電圧が、前記出力電流がレギュレートされる値に関連する定数を表す、前記電流測定デバイスと、
信号Ｋ×（１−Ｄ）を生成するために、前記定数Ｋに、１から前記コンバータのデューティサイクルを引いた（１−Ｄ）を表す信号を乗算する、前記定数を表す前記電圧に結合される第１のアナログ乗算器と、
前記入力電流を表す前記電圧とパルス幅変調（ＰＷＭ）回路の第１の入力との間に結合される第２のアナログ乗算器と、
前記信号Ｋ×（１−Ｄ）を受け取るように結合される前記パルス幅変調（ＰＷＭ）回路の第２の入力と、
を含む、ブーストコンバータ。
【請求項７】
請求項６に記載のブーストコンバータであって、
前記アナログ乗算器が、
出力電流の前記所定の値を表す前記電圧とノードとの間に結合される第１のスイッチと、
前記ノードと基準電圧との間に結合される第２のスイッチと、
前記ノードとエラー増幅器への入力との間に結合されるローパスフィルタと、
を含み、
前記第１のスイッチが（１−Ｄ）を表す信号により動作され、前記第２のスイッチが（Ｄ）を表す信号により動作される、ブーストコンバータ。
【請求項８】
請求項７に記載のブーストコンバータであって、
前記パルス幅変調（ＰＷＭ）回路がエラー増幅器を含み、前記エラー増幅器が、前記エラー増幅器のフィードバックループ内のレジスタとキャパシタとにより前記電流測定デバイスに結合され、前記レジスタとキャパシタとが、前記コンバータへの平均入力電流に関連する信号を生成するために前記電流測定デバイスからの前記出力電圧を平均化する、ブーストコンバータ。
【請求項９】
請求項８に記載のブーストコンバータであって、
前記電流測定デバイスが抵抗性シャントを含む、ブーストコンバータ。
【請求項１０】
請求項４に記載のバックコンバータであって、
前記コンバータの負荷がＬＥＤである、ブーストコンバータ。
【請求項１１】
バック電圧‐電流コンバータであって、
ＡＣ入力電圧のソースと、
インダクタを介して負荷に結合されるスイッチと、
前記スイッチを介して電流を測定するための電流測定デバイスと、
電流値を前記コンバータのデューティサイクルで乗算するためにアナログ乗算器に結合される電流源と、
一方の端子で前記乗算器から電圧出力を受け取り、前記電流測定デバイスにより測定された前記電流に関連する電圧を受け取る、パルス幅変調（ＰＷＭ）回路と、
を含み、
前記パルス幅変調（ＰＷＭ）回路が、前記コンバータのデューティサイクル（Ｄ）に関連する信号を生成するためのものであり、前記スイッチが、前記入力電圧の一定倍に関連する前記負荷を介する電流を生成するために前記信号により動作される、バック電圧‐電流コンバータ。
【請求項１２】
請求項１１に記載のバック電圧‐電流コンバータであって、
前記アナログ乗算器が、１−Ｄに関連する信号により動作されるスイッチを含み、前記スイッチが前記乗算器への入力であるノードと基準電圧との間に結合され、前記ノードと前記増幅器の出力とにダイオードが結合される、バック電圧‐電流コンバータ。
【請求項１３】
請求項１２に記載のバック電圧‐電流コンバータであって、
前記アナログ乗算器の出力と前記基準電圧との間に結合されるキャパシタとレジスタとを更に含む、バック電圧‐電流コンバータ。
【請求項１４】
請求項１３に記載のバック電圧‐電流コンバータであって、
前記電流測定デバイスが抵抗性シャントである、バック電圧‐電流コンバータ。
【請求項１５】
請求項１１に記載のバック電圧‐電流コンバータであって、
ＡＣ電圧のソースが整流されてディミングされたＡＣ電圧である、バック電圧‐電流コンバータ。
【請求項１６】
請求項１５に記載のバック電圧‐電流コンバータであって、
前記負荷がＡＣディマーにより調光され得るＬＥＤである、バック電圧‐電流コンバータ。
【請求項１７】
ディミング可能なＬＥＤを動作させる方法であって、
ＬＥＤドライバ回路をＡＣディマーの整流された出力に結合することと、
前記ＬＥＤドライバ回路の入力電圧に関連する電流を提供することと、
第１の電圧を生成するために、前記電流の値に前記入力電圧と前記ＬＥＤドライバ回路のデューティサイクルとを乗算することと、
比較信号を生成するために、前記第１の電圧と前記ＬＥＤドライバ回路内のスイッチを介する電流を表す電圧とを比較することと、
前記ＬＥＤを駆動するための前記スイッチと前記乗算とを制御するためのパルス幅変調（ＰＷＭ）信号を生成するために前記比較信号を用いることと、
を含む、方法。
【請求項１８】
請求項１７に記載の方法であって、
前記乗算が１−Ｄに関連する信号によって動作されるスイッチを含むアナログ乗算器によって実施され、前記スイッチが前記乗算器への入力であるノードと基準電圧との間に結合され、前記ノードと前記乗算器の出力とにダイオードが結合される、方法。
【請求項１９】
請求項１８に記載の方法であって、
前記スイッチを介する前記電流を表す前記電圧を提供するために抵抗性シャントを更に含む、方法。
【請求項２０】
請求項１９に記載の方法であって、
前記ＬＥＤドライバ回路の入力電圧に関連する前記電流を提供するためにＡＣディマーの前記出力を受け取る整流器に結合されるレジスタを更に含む、方法。